(57)【要約】【課題】使用に簡便で且つ携帯に負担にならない化粧品ケースを提供する。【解決手段】化粧品ケースは、円形プレートの内部に収納空間（３）が形成され、収納空間の下部にチャンバが形成され、チャンバの一側面に開放通路（５）が形成され、後面にはヒンジ結合のために軸孔（７）を有する凸部（６）が形成され、前面に案内溝（１０）が形成されているメインケース（１）と、円形プレートが挿入される覆い（２１）が設けられ、メインケースの凸部とヒンジ結合される結合板（２２）を有し、案内溝に合うように係止顎（２５）付きの係止パネル（２３）が形成されているカバー（２０）と、メインケースのチャンバにヒンジ結合され、係止パネルが係合される係止溝（３８）が形成されている収納引き出し（３０）と、収納引き出しが開放通路の外部に回転して押し出されるように弾性力を提供するスプリング（４０）と、からなる。【選択図】  図１
2004290654.tif 000002
【特許請求の範囲】
【請求項１】
円形プレートの内部にはファンデーションの収納空間が形成され、前記収納空間の下部には四方を取り囲むプレートと前記プレートに上下部で結合される上下のプレートとからなるチャンバが形成され、前記チャンバの一側面に開放通路が形成され、後面にはヒンジ結合のために軸孔を有する凸部が形成され、前面には案内溝が形成されているメインケースと、
前記メインケースの収納空間を形成する円形プレートが挿入される覆いが設けられ、前記覆いに結合されて前記メインケースの凸部とのヒンジ結合のための軸孔を持つ結合板を有し、前記案内溝に合うように係止顎付きの係止パネルが形成されているカバーと、
前記メインケースのチャンバをなす上下のプレートにヒンジ結合されるピンが設けられ、前記係止パネルが係合される、係止顎固定用の係止突起を有する係止溝が形成されている収納引き出しと、
前記メインケースの一側面と前記収納引き出しに結合され、前記カバーの係止パネルが前記収納引き出しの係止溝から分離されるように前記カバーを回転開放したとき、前記収納引き出しが前記開放通路の外部に回転して押し出されるように弾性力を提供するスプリングと、からなることを特徴とする化粧品ケース。
【請求項２】
下部は閉鎖されて上部は開放されるように四方を取り囲む一体型のプレートを含むケースであって、一側面部には開放通路が形成され、内部の前面には水平の直線溝が形成され、前記前面をなすプレートには前記直線溝と接続されるロック孔が形成され、内部の後面をなすプレートの中央部には側部より内側に凹んだ結合溝が形成され、前記側面部の両側には軸孔が形成され、四方を取り込むプレートの上面には設置段が形成され、前記開放通路の両面には突起が形成されているメインケースと、
前記メインケースの設置段の形状と一致するようにフランジが形成され、前記フランジと一体に形成されて種類の異なる化粧品を収納するための仕切りが形成されているメークアップケースと、
前記メインケースの軸孔にヒンジ結合されるために一致した軸孔が形成され、中央には両側に斜面をなす凹部が形成され、前記メインケースの結合溝に一致する結合板が設けられ、前記結合板と直角をなすとともに周縁部が突出されたカバー板が形成され、前記メインケースのロック孔に結合される係止顎と、この係止顎に垂直形成される係止段とを有する係止パネルが形成されているカバーと、
四角の引き出し形状であって、内部には化粧道具を収納する収納空間を設けるための仕切りが形成されており、前記メインケースの直線溝に挿入されて摺動し、係止パネルの係止段に引っかかる止め段を有し、下面が係止顎に引っかかるスライダーが、外部側面に取付けられており、両側面には突起が形成されている収納引き出しと、
前記メインケースの側面部に形成された軸孔と、前記カバーの結合板の両側に形成された軸孔を貫通し、カバーをメインケースにヒンジ結合させるヒンジ軸と、
前記収納引き出しが前記メインケースの外部に押し出されるように、前記メインケースに設置され弾性力を提供するコイルスプリングと、からなることを特徴とする化粧品ケース。
【請求項３】
前記収納引き出しは、前記収納空間の一部を開閉するために前記仕切りと側面プレートの上部とにヒンジ結合される収納カバーを有することを特徴とする請求項２記載の化粧品ケース。
【請求項４】
前記収納引き出しの前記収納空間を形成する仕切り及び側面プレートには、化粧道具を持ちやすくするためのピックアップ溝が形成され、前記収納空間には、化粧用ブラシの取っ手のような円形のものが収容できるように円形溝が形成されることを特徴とする請求項２記載の化粧品ケース。
【請求項５】
前記カバーには鏡が設置されることを特徴とする請求項１または２記載の化粧品ケース。
【発明の詳細な説明】
【０００１】
【発明の属する技術分野】
本発明は化粧品ケースに係り、頬または目もとを化粧する時に使用される様々な色調の化粧品およびブラシを一つのケースに収納できる、小さくて携帯や保管の便利な化粧品ケースに関する。
【０００２】
【従来の技術】
従来の一般的な化粧品ケースは、ケース本体と、該ケース本体にピボット可能に連結されて回転により開放および閉鎖されるカバーとを備え、内部には化粧品を収納できる空間が設けられていた。一般に、モデルや俳優などの専門職に従事している女性の場合は、様々な化粧をしたり化粧を落したりするため、または環境、雰囲気などに応じて化粧品の色を変えるために、一連の動作を繰り返して行うことから、様々な種類の化粧品ケースを携帯しなければならない。しかし、従来の化粧品ケースは体積が大きく、収納空間が狭くて携帯品が重すぎるという問題点があった。
【０００３】
【発明が解決しようとする課題】
本発明はかかる従来の問題点を解決するためになされたもので、その目的は、化粧品ケースの収納空間を二重に形成して収納空間をコンパクトに構成し、カバーを開けると下部の収納引き出しが露出する構造で、使用に簡便で且つ携帯に負担にならず、気軽に持ち運ぶことができる化粧品ケースを提供することにある。
【０００４】
【課題を解決するための手段】
本発明の構成は、円形プレートの内部にはファンデーションの収納空間が形成され、前記収納空間の下部には四方を取り囲むプレートと前記プレートに上下部で結合される上下のプレートとからなるチャンバが形成され、前記チャンバの一側面に開放通路が形成され、後面にはヒンジ結合のために軸孔を有する凸部が形成され、前面には案内溝が形成されているメインケース；
前記メインケースの収納空間を形成する円形プレートが挿入される覆いが設けられ、前記覆いに結合されて前記メインケースの凸部とのヒンジ結合のための軸孔を持つ結合板を有し、前記案内溝に合うように係止顎付きの係止パネルが形成されているカバー；
前記メインケースのチャンバをなす上下のプレートにヒンジ結合されるピンが設けられ、前記係止パネルが係合される、係止顎固定用の係止突起を有する係止溝が形成されている収納引き出し；
前記メインケースの一側面と前記収納引き出しに結合され、前記カバーの係止パネルが前記収納引き出しの係止溝から分離されるように前記カバーを回転開放したとき、前記収納引き出しが前記開放通路の外部に回転して押し出されるように弾性力を提供するスプリング；からなることを特徴とする。
【０００５】
本発明の他の構成は、下部は閉鎖されて上部は開放されるように四方を取り囲む一体型のプレートを含むケースであって、一側面部には開放通路が形成され、内部の前面には水平の直線溝が形成され、前記前面をなすプレートには前記直線溝と接続されるロック孔が形成され、内部の後面をなすプレートの中央部には側部より内側に凹んだ結合溝が形成され、前記側面部の両側には軸孔が形成され、四方を取り込むプレートの上面には設置段が形成され、前記開放通路の両面には突起が形成されているメインケース；
前記メインケースの設置段の形状と一致するようにフランジが形成され、前記フランジと一体に形成されて種類の異なる化粧品を収納するための仕切りが形成されているメークアップケース；
前記メインケースの軸孔にヒンジ結合されるために一致した軸孔が形成され、中央には両側に斜面をなす凹部が形成され、前記メインケースの結合溝に一致する結合板が設けられ、前記結合板と直角をなすとともに周縁部が突出されたカバー板が形成され、前記メインケースのロック孔に結合される係止顎と、この係止顎に垂直形成される係止段とを有する係止パネルが形成されているカバー；
四角の引き出し形状であって、内部には化粧道具を収納する収納空間を設けるための仕切りが形成されており、前記メインケースの直線溝に挿入されて摺動し、係止パネルの係止段に引っかかる止め段を有し、下面が係止顎に引っかかるスライダーが、外部側面に取付けられており、両側面には突起が形成されている収納引き出し；
前記メインケースの側面部に形成された軸孔と、前記カバーの結合板の両側に形成された軸孔を貫通し、カバーをメインケースにヒンジ結合させるヒンジ軸；
前記収納引き出しが前記メインケースの外部に押し出されるように、前記メインケースに設置され弾性力を提供するコイルスプリング；からなることを特徴とする。
【０００６】
また、上記本発明の他の構成において、前記収納引き出しは、前記収納空間の一部を開閉するために前記仕切りと側面プレートの上部とにヒンジ結合される収納カバーを有することが好ましい。
【０００７】
また、上記本発明の他の構成において、前記収納引き出しの前記収納空間を形成する仕切り及び側面プレートには、化粧道具を持ちやすくするためのピックアップ溝が形成され、前記収納空間には、化粧用ブラシの取っ手のような円形のものが収容できるように円形溝が形成されることが好ましい。
【０００８】
また、前述した本発明中のいずれか一方において、前記カバーには鏡が設置されることが好ましい。
【０００９】
【発明の実施の形態】
以下、本発明の構成及び作用を添付図を参照して詳細に説明する。
【００１０】
本発明はメインケース１、収納引き出し３０、カバー２０、スプリング４０から構成される。
【００１１】
前記メインケース１には円形プレートからなる化粧品の収納空間３が形成され、前記収納空間３の下部には四方を取り囲むプレートと前記プレートに上下部で結合される上下のプレートとからなるチャンバが形成され、前記チャンバの一側面に開放通路５が形成され、後面にはヒンジ結合のために軸孔７を有する凸部６が形成され、前面には案内溝１０が形成されている。
【００１２】
前記カバー２０には、前記メインケース１の収納空間３を形成する円形プレートが挿入される覆い２１が設けられ、前記覆い２１に結合されて前記メインケース１の凸部６とのヒンジ結合のための軸孔を持つ結合板２２を有し、前記案内溝１０に合うように係止顎２５付きの係止パネル２３が形成される。
【００１３】
前記収納引き出し３０には、前記メインケース１のチャンバをなす上下のプレートにヒンジ結合されるピン３３が設けられ、前記係止パネル２３が係合される、係止顎２５固定用の係止突起３５を有する係止溝３８が形成されている。
【００１４】
前記スプリング４０は一端が前記メインケース１に固定され、他端は収納引き出し３０に形成された溝に固定され、コイル部分には収納引き出し３０のピン３３が挿入される。前記スプリング４０は、前記カバー２０の係止パネル２３が前記収納引き出し３０の係止溝３８から分離されるように前記カバー２０を回転開放したとき、前記収納引き出し３０が前記開放通路５の外部に回転して押し出されるように弾性力を提供する。
【００１５】
本発明の第２実施例は、メインケース６０、メークアップケース８０、カバー８７、収納引き出し１１０、鏡、コイルスプリング１１１、係止パネル９５などからなる。
【００１６】
前記メインケース６０は、下部は閉鎖されて上部は開放されるように四方を取り囲む一体型のプレートを含むケースであって、一側面部には開放通路６２が形成され、内部の前面には水平の直線溝６５が形成され、前記前面をなすプレートには前記直線溝６５と接続されるロック孔６７が形成され、内部の後面をなすプレートの中央部には側部より内側に凹んだ結合溝７０が形成され、前記側面部の両側には軸孔７１が形成され、四方を取り込むプレートの上面には設置段７５が形成され、前記開放通路６２の両面には突起７７が形成される。
【００１７】
前記メークアップケース８０には、前記メインケース６０の設置段７５の形状と一致するようにフランジ８２が形成され、前記フランジと一体に形成されて種類の異なる化粧品１３０を収納するための仕切り２５が形成される。前記仕切り２５は多様な化粧品１３０を収納するために格子状や円形など多様に形成して空間を提供することができる。
【００１８】
前記カバー８７には、メインケース６０の軸孔７１にヒンジ結合されるために一致した軸孔が形成され、中央には両側に斜面をなす凹部が形成され、前記メインケース６０の結合溝７０に一致する結合板９０が設けられ、前記結合板と直角をなすとともに周縁部が突出されたカバー板９２が形成され、前記メインケース６０のロック孔６７に結合される係止顎９７と、この係止顎９７に垂直形成される係止段１００とを有する係止パネル９５が形成される。
【００１９】
前記収納引き出し１１０は、四角の引き出し形状であって、内部には化粧道具を収納する収納空間１２５を設けるための仕切り８３が形成されており、前記メインケース６０の直線溝６５に挿入されて摺動し、係止パネル９５の係止段１００に引っかかる止め段１０５を有し、下面が係止顎９７に引っかかるスライダー１０７が、外部側面に取付けられており、両側面には突起７７が形成されている。前記収納引き出し１１０は、前記収納空間１２５の一部を開閉するために前記仕切り８３と側面プレートの上部とにヒンジ結合される収納カバー１３５を有する。
【００２０】
また、前記収納引き出し１１０の前記収納空間１２５を形成する仕切り８３及び側面プレートには、化粧道具を持ちやすくするためのピックアップ溝１４０が形成され、前記収納空間１２５には、化粧用ブラシ１２０の取っ手のような円形のものが収容できるように円形溝１４１が形成される。
【００２１】
前記メインケース６０には、側面部に形成された軸孔７１と結合し前記カバー８７の結合板９０の両側に形成された軸孔７１を貫通し、カバー８７をメインケース６０にヒンジ結合させるヒンジ軸５０が設置される。
【００２２】
前記収納引き出し１１０が前記メインケース６０の外部に押し出されるように、前記メインケース６０の内部では、前記メインケース６０の内部側面と前記収納引き出し１１０の側面とが接触し、前記収納引き出し１１０に弾性力を提供するコイルスプリング１１１が設置される。
【００２３】
一方、前記メインケース１、６０の上部を開閉するカバー２０、８７には鏡が設置されることが好ましい。
【００２４】
前記第１実施例の構成の作用によれば、前記カバー２０の係止パネル２３が前記収納引き出し３０の係止溝３８から分離されるように前記カバー２０を回転開放すると、前記収納引き出し３０は前記スプリング４０によって前記メインケース１の内部で回転して外部に露出する。この際、前記収納引き出し３０に収容されたブラシ５０を使用して前記メインケース１の収納空間３の化粧品を必要な部位に塗る。
【００２５】
前記第２実施例の構成の作用によれば、前記第１実施例と類似した方法で、前記係止パネル９５の係止顎９７と、前記メインケース６０のロック孔６７に突出された前記スライダー１０７の止め段１０５の下面と、の係止が解除されるように前記カバー８７を回転すると、前記係止パネル９５の係止段１００での前記止め段１０５の係止が解除されることにより、前記開放通路６２に沿う側方向動作が制限されていた前記収納引き出し１１０は、前記コイルスプリング１１１の弾性力によって前記開放通路６２の外部に押し出される。前記第１実施例と同様に前記収納引き出し１１０に収容されたブラシ１２０を使用して前記メークアップケース８０や収納引き出し１１０内の化粧品１３０を適当な部位に塗ることができる。前記第１実施例と前記第２実施例において、収納引き出し１１０をメインケース６０の内部に押し入れてカバー８７を閉じると、前記収納引き出し１１０がメインケース６０の内部に拘束されるようになる。
【００２６】
したがって、本発明によれば、化粧品ケースの収納空間を二重に形成して収納空間をコンパクトに構成し、カバーを開けると下部の収納引き出しが露出する構造で、使用に簡便で且つ携帯に負担にならず、気軽に持ち運ぶことができる化粧品ケースが提供される。
【００２７】
以上、本発明は上述した具体例を中心に説明したが、本発明の技術思想の範囲から外れない限度内で多様な変形及び修正が可能なのは当該分野で通常の知識を有する者には明らかなことであり、このような変形及び修正が特許請求の範囲に属することはいうまでもない。
【図面の簡単な説明】
【図１】本発明に係る化粧品ケースの第１実施例の分解斜視図である。
【図２】本発明に係る第１実施例の断面図である。
【図３】本発明に係る第１実施例の収納引き出しが開放される横断面図である。
【図４】本発明に係る化粧品ケースの第２実施例の分解斜視図である。
【図５】本発明に係る第２実施例の断面図である。
【図６】本発明に係る第２実施例の係止パネルを拡大して示した分解斜視図である。
【符号の説明】
１、６０…メインケース
３、１２５…収納空間
５、６２…開放通路
６…凸部
７、７１…軸孔
９…軸
１０…案内溝
２０、８７…カバー
２１…覆い
２２、９０…結合板
２３、９５…係止パネル
２５、９７…係止顎
３０、１１０…収納引き出し
３３…ピン
３５…係止突起
３８…係止溝
４０…スプリング
５０…ヒンジ軸
６５…直線溝
６７…ロック孔
７０…結合溝
７５…設置段
７７…突起
８０…メークアップケース
８２…フランジ
８３…仕切り
９２…カバー板
１００…係止段
１０５…止め段
１０７…スライダー
１１１…コイルスプリング
１２０…ブラシ
１３０…化粧品
１３５…収納カバー
１４０…ピックアップ溝
１４１…円形溝
【図１】
2004290654.tif 000003
【図２】
2004290654.tif 000004
【図３】
2004290654.tif 000005
【図４】
2004290654.tif 000006
【図５】
2004290654.tif 000007
【図６】
2004290654.tif 000008